(57)【特許請求の範囲】
【請求項１】
壁面に取り付けられ、ロールペーパを回動可能に保持するホルダ本体と、該ホルダ本体に設けられ、該ロールペーパを切り取り可能な紙切板と、該ホルダ本体の上方に一体化され、電気機器を作動可能なリモコンとを有するペーパホルダにおいて、
前記リモコンは、上面及び下面が周面より広い薄板状をなし、該周面の前記壁面に対して最も遠くなる前面及び該上面が前記電気機器を作動させ得る操作面とされ、該操作面である該上面を露出するように前記ホルダ本体から離反せずに前方に突出可能であり、該操作面である該周面の前面は、該リモコンが前記ホルダ本体に装着された状態では、前記壁面に対して傾斜されていることを特徴とするペーパホルダ。
【請求項２】
リモコンはホルダ本体から着脱可能であることを特徴とする請求項１記載のペーパホルダ。
【発明の詳細な説明】
【０００１】
【発明が属する技術分野】
本発明はホルダ本体にリモコンが一体化されたペーパホルダに関する。このペーパホルダは例えば住居等のトイレ室に設けて好適である。
【０００２】
【従来の技術】
例えば、トイレ室では、図９に示すように、シャワートイレ等の電気制御可能な便器装置９２が設けられているとともに、この便器装置９２の周辺の壁面９１にその便器装置９２を作動可能なリモコン９６、ペーパーホルダ９４、棚９３、タオル掛け９５等が設けられ得る。ここで、リモコン９６は、壁面９１に固定される図示しないリモコンホルダにより着脱可能になされることが一般的である。この場合、便器装置９２を使用する者が腕や手を棚９３の上面９３ａに乗せる場合もあり得ることから、そのような棚９３は比較的低い位置に設けられることが一般的である。一方、その使用者にとっての視認性及び操作性向上の観点から、その棚９３の上面９３ａより上方に操作面９６ａを位置させるべくリモコン９６を設けることが一般的である。また、リモコン９６は一面及び他面が周面より広い薄板状をなし、その一面を操作面９６ａとしている。
【０００３】
こうして、このトイレ室では、その使用者によりリモコン９６の操作面９６ａが触手可能になるとともに、ペーパーホルダ９４もその者により触手可能となる。
【０００４】
【発明が解決しようとする課題】
しかし、上記のようにすると、ペーパーホルダ９４とリモコン９６とを別々に壁面９１に取り付けなければならないため、施工性が悪いとともに、美観が損なわれるという欠点がある。
【０００５】
このようなことは、トイレ室に限らずキッチン、リビングルーム等においても起こり得る。
【０００６】
本発明は、上記従来の実情に鑑みてなされたものであって、トイレ室等の優れた施工性及び美観の発揮を可能としつつ、煩雑化を有効に防止できるペーパーホルダを提供することを解決すべき課題としている。
【０００７】
【課題を解決するための手段】
本発明のペーパホルダは、壁面に取り付けられ、ロールペーパを回動可能に保持するホルダ本体と、該ホルダ本体に設けられ、該ロールペーパを切り取り可能な紙切板と、該ホルダ本体の上方に一体化され、電気機器を作動可能なリモコンとを有するペーパホルダにおいて、
前記リモコンは、上面及び下面が周面より広い薄板状をなし、該周面の前記壁面に対して最も遠くなる前面及び該上面が前記電気機器を作動させ得る操作面とされ、該操作面である該上面を露出するように前記ホルダ本体から離反せずに前方に突出可能であり、該操作面である該周面の前面は、該リモコンが前記ホルダ本体に装着された状態では、前記壁面に対して傾斜されていることを特徴とする。
【０００８】
本発明のペーパホルダでは、ホルダ本体には電気機器を作動可能なリモコンが一体化されているため、ペーパーホルダとリモコンとを同時に壁面に取り付けることができる。そのため、トイレ室等の優れた施工性及び美観の発揮を可能としつつ、煩雑化を有効に防止できる。
【０００９】
ホルダ本体としては、水平に保持される芯部材を有する一般的なものの他、そのような芯部材を有さず、略半円筒状の形成されたドラム型のものを採用することができる。これらホルダ本体の上方にリモコンが一体化されている。なお、紙切板は、ホルダ本体に軸心回りに揺動可能に設けられ得る他、ホルダ本体に固定されて設けられ得る。
【００１０】
また、リモコンは、ホルダ本体から離反せずに突出可能に設けられている。これにより、リモコンが前方に突出して使用者に近づくため、リモコンの操作性をより確保することができる。
【００１１】
さらに、リモコンはホルダ本体から着脱可能に設けることもできる。これにより、使用者はリモコンをホルダ本体から取り外して自由な姿勢で操作できる。また、ホルダ本体から外したリモコンを再びホルダ本体に取り付けることにより、リモコンの紛失も回避できる。
【００１２】
リモコンは電気機器に信号を送出する発信部を有し、ホルダ本体は該発信部を露出させる開口を有することができる。こうであれば、リモコンをホルダ本体に取り付けた場合には、ホルダ本体に設けられた開口により発信部を露出することができるため、リモコンから電気機器に信号を確実に送出することができる。
【００１３】
リモコンは、上面及び下面が周面より広い薄板状をなし、周面の壁面に対して最も遠くなる前面及び上面が電気機器を作動させ得る操作面とされているものであり、ホルダ本体に装着された状態では、操作面を壁面に対して傾斜させている。こうであれば、壁面に対してその操作面が最も遠くなるようにホルダ本体に装着することにより、操作面が使用者に近い位置にあることとなり、使用者にとっての操作が容易である。また、リモコンがホルダ本体に装着された状態で操作面が壁面に対して傾斜しているため、使用者がリモコンの操作面を最も見易く、かつ操作し易くなる。
【００１４】
本発明のペーパホルダは、住居等において比較的狭い空間であるトイレ室において効果が大きい。特に、電気機器をシャワートイレ等の便器装置とし、リモコンがその便器装置を作動するものである場合に効果が大きい。これらにより、狭いトイレ室内での視認性及び操作性を確実に確保することができるとともに、トイレ室の煩雑化を有効に防止することができる。
【００１５】
本発明のペーパホルダにおいては、便器装置から送出されたその機能又は使用者の健康状態を示す情報を表示することもできる。こうであれば、便器装置の機能を表示することにより、快適な使用環境を作り出すことができる。また、使用者の健康状態を表示することにより、簡易に健康管理を行うことができる。
【００１６】
なお、ペーパホルダのリモコンの上面を物品が載置可能な載置面とすることができる。リモコンの操作面をその周面に位置させることとすれば、リモコンの上面にリモコンの優れた操作性確保のためのスペースが不要となり、上面に自由に物品を載置できる。このため、トイレ室等の煩雑化を有効に防止することができる。
【００１７】
【発明の実施の形態】
以下、本発明を具体化した実施形態１及び２を図面を参照しつつ説明する。
（参考形態１）
図１に示すように、参考形態１のトイレットペーパホルダ３は住居において比較的狭い空間であるトイレ室で使用されている。つまり、このトイレ室では、シャワートイレ一体型の便器装置２が設けられているとともに、この便器装置２の周辺の壁面１にトイレットペーパホルダ３が設けられている。
【００１８】
このトイレットペーパホルダ３は、図２にも示すように、２個のトイレットペーパＲを軸心回りに回動可能に支承するホルダ本体３ａと各トイレットペーパＲを切り取り可能な紙切板３ｂとを有する。ホルダ本体３ａの上部には便器装置２を作動可能なリモコン４が一体化されている。このトイレットペーパホルダ３は、便器装置２の使用者が腕や手をリモコン４の上面４ｂに乗せる場合もあり得ることから、比較的低い位置に設けられている。こうして、リモコン４の一面である水平な上面４ｂには物品を載置可能である。
【００１９】
リモコン４は、上面４ｂ及び他面である下面が周面より広い薄板状をなしており、リモコン４の周面の一面を操作面４ａとしている。この操作面４ａは使用者に対面すべく鉛直に対して下り勾配をなして傾斜している。この操作面４ａには主操作ボタンスイッチ４ｅ及び副操作ボタンスイッチ４ｆが水平方向で一列をなして配置されている。ここで、主操作ボタンスイッチ４ｅは洗浄スイッチ等の使用頻度の高いスイッチであり、副操作ボタンスイッチ４ｆは温度設定スイッチ等の使用頻度の低いスイッチである。さらに、下面の操作面４ａ側の一端と、この一端とは逆側で操作面４ａに隣接する側面の操作面４ａ側とには、便器装置２にリモコン４への入力信号を発信するとともに、便器装置２の機能又は使用者の健康状態に係る出力信号がリモコン４へ受信される発光・受光部４ｉ（一方のみ図示）が設けられている。そして、操作面４ａには、発光・受光部４ｉで受信された便器装置２の機能又は使用者の健康状態を示す情報を表示する表示器４ｈが配置されている。
【００２０】
以上のように構成されたトイレットペーパホルダ３では、ホルダ本体３ａに便器装置２を作動可能なリモコン４が一体化されているため、これらを同時に壁面１に取り付けることができる。そのため、トイレ室の優れた施工性及び美観の発揮を可能としつつ、煩雑化を有効に防止できる。
【００２１】
また、このトイレットペーパホルダ３では、リモコン４の操作面４ａが壁面１に対して最も遠くなるように取付けているため、操作面４ａが便器装置２の使用者に近い位置にあることとなり、使用者にとっての操作が容易である。特に、このリモコン４は、操作面４ａが鉛直に対して下り勾配で傾斜しているため、使用者がリモコン４の操作面４ａを最も見易く、操作しやすい。
【００２２】
さらに、このトイレットペーパホルダ３では、リモコン４の水平な上面４ｂに予備のトイレットペーパ等の物品を載置可能であるため、そのトイレ室の煩雑化を有効に防止することができる。
【００２３】
また、このトイレットペーパホルダ３では、リモコン４の操作面４ａに主操作ボタンスイッチ４ｅ及び副操作ボタンスイッチ４ｆを長手方向に配列しているため、それらボタンスイッチ４ｅ、４ｆ自体を小さくしたり、煩雑に配置しなくてもよいことから、誤操作を防止できる。
【００２４】
さらに、このトイレットペーパホルダ３では、リモコン４の操作面４ａに配置された表示器４ｈにより便座の温度、温水の温度等の便器装置２の機能を表示できるため、快適な使用環境を作り出すことができる。さらに、この表示器４ｈにより体重、体脂肪等の使用者の健康状態を表示できるため、簡易に健康管理を行うことができる。
【００２５】
（実施形態１）
図３に示すように、実施形態１のトイレットペーパホルダ５も、２個のトイレットペーパＲを軸心回りに回動可能に支承するホルダ本体５ａと各トイレットペーパＲを切り取り可能な紙切板５ｂとを有する。ホルダ本体５ａの上部にはリモコンホルダ７が固定されている。リモコンホルダ７にはホルダ面７ｄが横長で凹設され、このホルダ面７ｄ内に便器装置２を作動可能なリモコン６が収納されている。このトイレットペーパホルダ５も、便器装置２の使用者が腕や手をリモコンホルダ７の一面である上面７ｂに乗せる場合もあり得ることから、比較的低い位置に設けられている。こうして、リモコンホルダ７の水平な上面７ｂには物品を載置可能である。
【００２６】
また、リモコン６の操作面６ａは使用者に対面すべく鉛直に対して下り勾配をなして傾斜している。そして、操作面６ａには主操作ボタンスイッチ６ｅ及び表示器６ｈが水平方向で一列をなして配置されている。
【００２７】
さらに、リモコン６の操作面６ａを押すことによりリモコン６が前方に突出すべく、リモコンホルダ７とリモコン６との間には図示しない公知のプッシュロックオープン機構が設けられている。そして、リモコン６が前方に突出することにより露出したリモコン６の上面６ｂには、副操作ボタンスイッチ６ｆが配置されている。
【００２８】
さらに、リモコン６には発光・受光部６ｇが設けられ、リモコンホルダ７には発光・受光部６ｇを露出させる開口７ｃが設けられている。他の構成は参考形態１と同様である。
【００２９】
このトイレットペーパホルダ５では、リモコン６の操作面６ａがプッシュロックオープン機構により前方に突出して使用者に近づくため、リモコン６の操作性をより確保することができる。また、主操作ボタンスイッチ６ｅを操作面６ａに配置し、副操作ボタンスイッチ６ｆを上面６ｂに配置していることから、これによってもリモコン６の操作性をより確保することができる。すなわち、リモコン６がリモコンホルダ７内に収納されている場合、使用頻度の低い副操作スイッチ６ｆはリモコンホルダ７の中に収納され、使用頻度の高い主操作ボタンスイッチ６ｅのみ操作可能となるため、誤動作を防止できるからである。
【００３０】
また、リモコンホルダ７には発信部６ｇを露出させる開口７ｃが設けられているため、発信部６ｇを露出することができ、リモコン６から便器装置２に信号を確実に送出することができる。
【００３１】
さらに、このトイレットペーパホルダ５においても、リモコンホルダ７の水平な上面７ｂに予備のトイレットペーパ等の物品を載置可能であるため、トイレ室の煩雑化を有効に防止することができる。他の作用及び効果は上記実施形態１と同様である。
【００３２】
なお、このトイレットペーパホルダ５では、電池を収納する開口をリモコン６の上面６ｂに設けることもできる。これにより、開口の蓋としてリモコンホルダ７を代用することができるため、製造コストの低廉化を実現できる。
【００３３】
（実施形態２）
図４に示すように、実施形態２のトイレットペーパホルダ８も、２個のトイレットペーパＲを軸心回りに回動可能に支承するホルダ本体８ａと各トイレットペーパＲを切り取り可能な紙切板８ｂとを有する。ホルダ本体８ａの上部にはリモコンホルダ１０が固定されている。このリモコンホルダ１０もホルダ面１０ｄが横長で凹設され、ホルダ面１０ｄ内にリモコン９が着脱可能に収納されている。他の構成は上記実施形態１と同様である。
【００３４】
このトイレットペーパホルダ８では、リモコン９をリモコンホルダ１０から着脱できるため、使用者はリモコン９をリモコンホルダ１０から取り外して自由な姿勢で操作できる。また、リモコンホルダ１０から外したリモコン９を再びリモコンホルダ１０に取り付けることにより、リモコン９の紛失も回避できる。他の作用及び効果は上記実施形態１と同様である。
【００３５】
（参考形態２）
図５に示すように、参考形態２のトイレットペーパホルダ１１は、１個のトイレットペーパＲを軸心回りに回動可能に支承するホルダ本体１１ａとトイレットペーパＲを切り取り可能な紙切板１１ｂとを有する。ホルダ本体１１ａにはホルダ面１１ｄが縦長に凹設され、このホルダ面１１ｄ内にリモコン１２が着脱可能に収納されている。
【００３６】
また、リモコン１２の操作面１２ａは、ホルダ面１１ｄに収納されている状態では、使用者に対面すべく壁面１に対して傾斜している。そして、操作面１２ａには主操作ボタンスイッチ１２ｅ及び表示器１２ｈが垂直方向で二列をなして配置されている。さらに、リモコン１２をホルダ面１１ｄから取り外すことにより露出したリモコン１２の上面１２ｂには、副操作ボタンスイッチ１２ｆが配置されている。
【００３７】
さらに、リモコン１２には発光・受光部１２ｇが設けられ、ホルダ本体１１ａには発光・受光部１２ｇを露出させる開口１１ｃが設けられている。他の構成は参考形態１と同様である。
【００３８】
このトイレットペーパホルダ１１では、ホルダ本体１１ａ内にホルダ面１１ｄが縦長で凹設されているため、ホルダ本体１１ａの上部が簡易となり、製造コストの低廉化を実現できる。他の作用及び効果は上記実施形態３と同様である。
【００３９】
（参考形態３）
図６に示すように、参考形態３のトイレットペーパホルダ１３も、１個のトイレットペーパＲを軸心回りに回動可能に支承するホルダ本体１３ａとトイレットペーパＲを切り取り可能な紙切板１３ｂとを有する。ホルダ本体１３ａの上部にはリモコン１４が固定されている。
【００４０】
リモコン１４の操作面１４ａ上には主操作ボタンスイッチ１４ｅ、副操作ボタンスイッチ１４ｆ及び表示器１４ｈが水平方向で三列をなして配置されている。他の構成は参考形態１と同様である。
【００４１】
以上のように構成されたトイレットペーパホルダ１３においても、参考形態１と同様の作用及び効果を奏することができる。
【００４２】
また、図７に示すように、リモコン１４は、操作面１４ａを垂直にして、ホルダ本体１３ａの側面に設けることもできる。この場合においても、同様の作用及び効果が得られる。
【００４３】
（実施形態６）
実施形態６のトイレットペーパホルダ１５は、出願人が先に提案した特願平１１−２８７４１０号記載のものを用いている。このトイレットペーパホルダ１５は、図８に示すように、ホルダ本体１５ａと、ホルダ本体１５ａに対して軸１５ｄを介して開閉できるドラム１５ｅを有する。ドラム１５ｅは、内部にトイレットペーパＲを収納できるように略半円筒状に形成され、外周面には水平方向に延びる操作つまみ１５ｆが突出して形成されている。
【００４４】
また、ホルダ本体１５ａの上端には、略水平方向に延在する紙切板１５ｂが固定されている。この紙切板１５ｂの前部は下方へ湾曲し、その前端には紙切刃１５ｃが固定されている。そして、ホルダ本体１５ａの上部にリモコン１６が一体化されている。
【００４５】
リモコン１６の上方に位置する操作面１６ａには主操作ボタンスイッチ１６ｅ、副操作ボタンスイッチ１６ｆ及び表示器１６ｈが水平方向で三列をなして配置されている。他の構成は参考形態１と同様である。
【００４６】
以上のように構成されたトイレットペーパホルダ１５においても、参考形態１と同様の作用及び効果を奏することができる。
【００４７】
なお、このトイレットペーパホルダ１５では、操作つまみ１５ｆを下方へ移動させてドラム１５ｅを開けた状態で、前方よりドラム１５ｅ内にトイレットペーパＲを収納し、しかる後に操作つまみ１５ｆを上方へ移動させてドラム１５ｅを閉じる。これにより、芯無し又は芯有りの何れのトイレットペーパＲをも回動可能に保持することができる。このとき、紙切板１５ｂを揺動させて持ち上げなくてもよいため、リモコン１６と紙切板１５ｂとの間に空間を設ける必要がない。そのため、トイレットペーパホルダ１５全体をコンパクトにすることができ、さらにトイレ室等の煩雑化を有効に防止できる。
【図面の簡単な説明】
【図１】参考形態１のペーパホルダに係るトイレ室の斜視図である。
【図２】参考形態１のペーパホルダの斜視図である。
【図３】実施形態１のペーパホルダの斜視図である。
【図４】実施形態２のペーパホルダの斜視図である。
【図５】参考形態２のペーパホルダの斜視図である。
【図６】参考形態３のペーパホルダの斜視図である。
【図７】変形参考形態のペーパホルダの斜視図である。
【図８】参考形態４のペーパホルダの斜視図である。
【図９】従来のトイレ室の側面図である。
【図１】
0004150147.tif 000002
【図２】
0004150147.tif 000003
【図３】
0004150147.tif 000004
【図４】
0004150147.tif 000005
【図５】
0004150147.tif 000006
【図６】
0004150147.tif 000007
【図７】
0004150147.tif 000008
【図８】
0004150147.tif 000009
【図９】
0004150147.tif 000010